(57)【要約】【課題】座面の高さを変えることができ、且つ小物等を収納することができる浴室用椅子を提供する。【解決手段】一主面が第１の座面１２となる第１の座板１１と、座面１２の反対側に座板１１に対して平行に配設される第１の底板２１と、座板１１と底板２１とをつなぎ座板１１に対して垂直に設けられて一主面が第２の座面３２となる第２の座板３１と、座面３２の反対側に座板３１に対して平行に配設されて座板１１と底板２１とをつなぐ第２の底板４１と、を有し、第１の座面１２を上方に向けて載置した状態における床から座面１２までの高さと、第２の座面３２を上方に向けて載置した状態における床から座面３２までの高さと、が異なる。これにより、置き方を変えることによって、高さを変えることができる。また、底板２１及び底板４１を収納棚として利用することができる。【選択図】図１
0003199431.tif 000002
【実用新案登録請求の範囲】
【請求項１】
一主面が第１の座面となる第１の座板と、
前記第１の座面の反対側に前記第１の座板に対して平行に配設される第１の底板と、
前記第１の座板と前記第１の底板とをつなぎ前記第１の座板に対して垂直に設けられて一主面が第２の座面となる第２の座板と、
前記第２の座面の反対側に前記第２の座板に対して平行に配設されて前記第１の座板と前記第１の底板とをつなぐ第２の底板と、を有し、
前記第１の座面を上方に向けて載置した状態における床から前記第１の座面までの高さと、前記第２の座面を上方に向けて載置した状態における床から前記第２の座面までの高さと、が異なることを特徴とする浴室用椅子。
【請求項２】
前記第１の座板、前記第１の底板、前記第２の座板及び前記第２の底板は、夫々同一幅の矩形板状であり、幅方向に沿った辺部において互いに接続されることを特徴とする請求項１に記載の浴室用椅子。
【請求項３】
前記第１の底板の縁部近傍から前記第１の座板に向かって突設される第１の突起部と、
前記第２の底板の縁部近傍から前記第２の座板に向かって突設される第２の突起部と、を有し、
前記第１の底板及び前記第２の底板には、夫々の一主面から反対側の他主面に貫通する貫通孔が形成されることを特徴とする請求項１または請求項２に記載の浴室用椅子。
【考案の詳細な説明】
【技術分野】
【０００１】
本考案は、浴室の洗い場等で用いられる浴室用椅子に関する。
【背景技術】
【０００２】
従来、浴室の洗い場で体を洗う際等に腰掛けるための椅子として、木材や樹脂等から形成される座部及び脚部を有する浴室用椅子が一般的に知られている。
【０００３】
例えば、特許文献１には、入浴者が腰掛ける座部と、座部の下部周囲を囲う側壁（脚部）と、を有する、石けん入れと小物入れ付き浴用腰掛けが開示されている。この浴用腰掛けの両側の側壁には、一対の開口部が設けられ、一方の開口部側には石けん入れ、他方の開口部側には小物入れが夫々配設される。
【先行技術文献】
【特許文献】
【０００４】
【特許文献１】特開平８−２４２９７０号公報（第２頁、第１図）
【考案の概要】
【考案が解決しようとする課題】
【０００５】
しかしながら、上記した従来技術のように１つの座部とそれを支える脚部とにより構成される一般的な浴室用椅子では、椅子の高さを変えることができないという問題点があった。
【０００６】
例えば、背の低い子どもには座面の高さが低い椅子、背の高い大人には座面の高さが高い椅子というように、個人の背丈に合う高さの浴室用椅子が必要である。そのため、生産者は、子ども用や大人用等といった高さの異なる複数種類の浴室用椅子を製造、販売し、また、利用者は、家族構成に合わせて高さの異なる複数の浴室用椅子を購入していた。
【０００７】
また、特許文献１に開示された浴用腰掛けには、浴室の小物等を入れるための小物入れが設けられている。このように、浴室内の限られたスペースを有効的に利用するために、浴室用椅子に小物等を収納するための棚等を設けることが求められていた。
【０００８】
本考案は、上記の事情に鑑みてなされたものであり、その目的とするところは、座面の高さを変えることができ、且つ小物等を収納することができる浴室用椅子を提供することにある。
【課題を解決するための手段】
【０００９】
本考案の浴室用椅子は、一主面が第１の座面となる第１の座板と、前記第１の座面の反対側に前記第１の座板に対して平行に配設される第１の底板と、前記第１の座板と前記第１の底板とをつなぎ前記第１の座板に対して垂直に設けられて一主面が第２の座面となる第２の座板と、前記第２の座面の反対側に前記第２の座板に対して平行に配設されて前記第１の座板と前記第１の底板とをつなぐ第２の底板と、を有し、前記第１の座面を上方に向けて載置した状態における床から前記第１の座面までの高さと、前記第２の座面を上方に向けて載置した状態における床から前記第２の座面までの高さと、が異なることを特徴とする。
【考案の効果】
【００１０】
本考案の浴室用椅子によれば、一主面が第１の座面となる第１の座板と、第１の座面の反対側に第１の座板に対して平行に配設される第１の底板と、第１の座板と第１の底板とをつなぎ第１の座板に対して垂直に設けられて一主面が第２の座面となる第２の座板と、第２の座面の反対側に第２の座板に対して平行に配設されて第１の座板と第１の底板とをつなぐ第２の底板と、を有し、第１の座面を上方に向けて載置した状態における床から第１の座面までの高さと、第２の座面を上方に向けて載置した状態における床から第２の座面までの高さと、が異なる。これにより、浴室用椅子の置き方を変えることによって、座面の高さを変えることができる。
【００１１】
また、第１の座板と第１の底板は、平行に配設される。そのため、第１の座板を上方に向けて載置する際に第１の底板に小物等の収納物を置くことができる。これにより、浴室のスペースを有効的に利用することができる。
【００１２】
また、第２の座板と第２の底板は、平行に配設される。そのため、第２の座板を上方に向けて載置する際に第２の底板に小物等の収納物を置くことができる。これにより、浴室のスペースを有効的に利用することができる。
【００１３】
また、第１の座板、第１の底板、第２の座板及び第２の底板は、夫々同一幅の略矩形板状であり、幅方向に沿った辺部近傍において互いに接続されても良い。これにより、浴室用椅子は、略角筒状に形成されるため、第１の座板若しくは第２の座板に座った際の安定性を高めることができる。
【００１４】
また、第１の底板の縁部近傍から第１の座板に向かって突設される第１の突起部と、第２の底板の縁部近傍から第２の座板に向かって突設される第２の突起部と、を有しても良い。これにより、第１の底板若しくは第２の底板を収納棚として利用した場合、収納物が飛び出すことを抑制することができる。
【００１５】
また、第１の底板及び第２の底板に、夫々の一主面から反対側の他主面に貫通する貫通孔が形成されても良い。これにより、第１の底板及び第２の底板の収納面に水が溜まることを防止することができる。
【図面の簡単な説明】
【００１６】
【図１】本考案の実施形態に係る浴室用椅子を右斜め上から見た透視図である。
【図２】本考案の実施形態に係る浴室用椅子の（Ａ）第１の座面を上方に向けた状態、（Ｂ）第２の座面を上方に向けた状態を示す正面図である。
【考案を実施するための形態】
【００１７】
以下、本考案の実施形態に係る浴室用椅子を図面に基づき詳細に説明する。
図１は、本考案の実施形態に係る浴室用椅子１を右斜め上から見た透視図である。浴室用椅子１は、浴室の洗い場で体を洗う際等の腰掛けとして用いられる。
【００１８】
図１に示すように、浴室用椅子１は、略角筒状で、４枚の板材、即ち第１の座板１１と、第１の底板２１と、第２の座板３１と、第２の底板４１と、を有する。第１の座板１１と第１の底板２１とが略平行に配設され、また、第２の座板３１と第２の底板４１とが略平行に配設される。そして、浴室用椅子１は、４枚の板材（１１、２１、３１、４１）の辺部近傍が夫々接続されることにより、前後方向に開口する略角筒状に形成される。
【００１９】
第１の座板１１、第１の底板２１、第２の座板３１及び第２の底板４１は、例えば、檜等の木材を材料とし、略矩形板状（略正方形板状を含む）に形成される。浴室用椅子１は、檜等により構成されるため、浴室用椅子１が浴室内で利用されることにより、浴室内が檜の香りで満たされ、利用者は、檜の香りを楽しむことができる。なお、４枚の板材（１１、２１、３１、４１）の材料として、檜以外の木材、例えば杉やサワラ等の木材を使用しても良い。
【００２０】
第１の座板１１及び第１の底板２１は、略同じ大きさで、幅Ｗ１、長さＨ２である。また、第２の座板３１及び第２の底板４１は、略同じ大きさで、幅Ｗ１、長さＨ１である。図１において、第１の座板１１は、浴室用椅子１の上方に配設され、第１の底板２１は浴室用椅子１の下方に配設される。
【００２１】
第１の座板１１の幅Ｗ１方向に沿った一方の辺部近傍（図１において右側の辺部近傍）下方には、第２の座板３１が略垂直に接続され、角部５４が形成される。また、第１の座板１１の幅Ｗ１方向に沿った他方の辺部近傍（図１において左側の辺部近傍）下方には、第２の底板４１が略垂直に接続され、角部５１が形成される。
【００２２】
第１の底板２１の幅Ｗ１方向に沿った一方の辺部近傍（図１において右側の辺部近傍）上方には、第２の座板３１が略垂直に接続され、角部５３が形成される。また、第１の底板２１の幅Ｗ１方向に沿った他方の辺部近傍（図１において左側の辺部近傍）上方には、第２の底板４１が略垂直に接続され、角部５２が形成される。
【００２３】
角部５１、角部５２、角部５３及び角部５４は、例えば、コーナーロッキング等の組手により形成され面取りが施される。これにより、４枚の板材（１１、２１、３１、４１）が夫々強固に接続されるため、座った際の安定性を高めると共に、浴室用椅子１の意匠性を高めることができる。
【００２４】
第１の座板１１の幅Ｗ１方向に沿った夫々の辺部近傍に、第２の座板３１及び第２の底板４１が略垂直に接続されるため、第１の座面１２を上方に向けて載置する際、第２の座板３１及び第２の底板４１は、床Ｇ（図２参照）から座面１２までの高さがＨ１である浴室用椅子１の脚部として機能する。
【００２５】
第２の座板３１の幅Ｗ１方向に沿った夫々の辺部近傍に、第１の座板１１及び第１の底板２１が略垂直に接続されるため、第２の座面３２を上方に向けて載置する際、第１の座板１１及び第１の底板２１は、床Ｇから座面３２までの高さがＨ２である浴室用椅子１の脚部として機能する。
【００２６】
ここで、第２の座板３１の長さＨ１は、第１の座板１１の長さＨ２よりも長く形成される。即ち、第２の座板３１は、第１の座板１１よりも大きい。そのため、第１の座面１２を上方に向けて載置した状態における床Ｇから第１の座面１２までの高さ（長さＨ１）と、第２の座面３２を上方に向けて載置した状態における床Ｇから第２の座面３２までの高さ（長さＨ２）と、が異なる。
【００２７】
これにより、浴室用椅子１の置き方を変えることによって、座面の高さを変えることができる。なお、長さＨ１及び長さＨ２が異なる長さであれば、長さＨ１及び長さＨ２の何れか一方は、幅Ｗ１と同じであっても良い。即ち、第１の座板１１及び第２の座板３１の何れか一方は、略正方形板状に形成されても良い。
【００２８】
また、浴室用椅子１が略角筒状で、４枚の板材（１１、２１、３１、４１）の辺部近傍が夫々接続されるため、第１の座面１２若しくは第２の座面３２に座った際の安定性を高めることができる。
【００２９】
第１の座板１１は、一主面に腰を掛けるための第１の座面１２を有し、略中央が浴室用椅子１の内側に向かって凹む形状に形成される。即ち、第１の座板１１は、幅Ｗ１方向に沿った２つの辺部近傍が厚く、長さＨ２方向の中央近傍が薄くなり、座面１２は、略凹面状に形成される。座面１２が略凹面状に形成されるため、座面１２に座った際の座り心地を良くすることができる。
【００３０】
第２の座板３１は、一主面に腰を掛けるための第２の座面３２を有し、略中央が浴室用椅子１の内側に向かって凹む形状に形成される。即ち、第２の座板３１は、幅Ｗ１方向に沿った２つの辺部近傍が厚く、長さＨ１方向の中央近傍が薄くなり、座面３２は、略凹面状に形成される。座面３２が略凹面状に形成されるため、座面３２に座った際の座り心地を良くすることができる。
【００３１】
第１の底板２１は、第１の座板１１と略平行に配設されるので、第１の座面１２を上方向に向けて載置する際に、収納棚として機能する。具体的には、第１の底板２１の上方となる面、即ち浴室用椅子１の内周となる収納面２９に、例えば、浴室で利用される石けんやシャンプー等の収納物９０（図２参照）を置くことができる。これにより、限られた浴室のスペースを有効に利用することができる。
【００３２】
収納面２９には、長さＨ２方向に延在する略棒状で横断面が略四角形状に形成される突起部２５が設けられる。突起部２５は、収納面２９に２つ設けられ、浴室用椅子１の両側の開口部の縁部近傍に夫々配設される。
【００３３】
突起部２５が設けられることにより、収納面２９に収納される収納物９０の落下及び飛び出しを防止することができる。突起部２５は、第２の座板３１及び第２の底板４１に当接せず、突起部２５と座板３１との間及び突起部２５と底板４１との間には隙間が形成される。これにより、当該隙間から湯等が流れ出るので、収納面２９に湯等が溜まることを防ぐことができる。
【００３４】
貫通孔２４は、第１の底板２１の一主面である底面２２から反対側の他主面である収納面２９に貫通し、略直線状で長さＨ２方向に延在する孔である。貫通孔２４が形成されることにより、水はけを良くし、収納面２９に湯等が溜まることを防ぐことができる。
なお、貫通孔２４の形状及び個数はこれに限定されず、様々な形態を採用し得る。例えば、貫通孔２４は、略多角形状若しくは略円形状に形成されても良い。
【００３５】
第１の底板２１の底面２２は、浴室用椅子１の内側に向かって凹む略凹面状に形成される。即ち、底板２１は、幅Ｗ１に沿った２つの辺部近傍が厚く、底板２１の長さＨ２方向の中央近傍が薄くなるように形成される。これにより、床Ｇと底面２２との間に隙間が形成されるので、貫通孔２４に湯等が留まらず流れやすくなる。
【００３６】
第１の底板２１は、浴室用椅子１の下方（底）において、第２の座板３１と第２の底板４１とをつなぐので、第２の座板３１と第２の底板４１とが強固に固定される。そのため、浴室用椅子１は、第１の座面１２を上方に向けて載置される際に安定する。
【００３７】
第２の底板４１は、第２の座板３１と略平行に配設されるので、第２の座面３２を上方向に向けて載置する際に、収納棚として機能する。即ち、第２の底板４１の上方となる収納面４９には、浴室で利用される小物等の収納物９０を置くことができる。
【００３８】
収納面４９には、長さＨ１方向に延在する略棒状で横断面が略四角形状に形成される突起部４５が設けられる。突起部４５は、収納面４９に２つ設けられ、浴室用椅子１の両側の開口部の縁部近傍に夫々配設される。
【００３９】
突起部４５が設けられることにより、収納面４９に収納される収納物９０の落下及び飛び出しを防止することができる。突起部４５は、第１の座板１１及び第１の底板２１に当接せず、突起部４５と座板１１との間及び突起部４５と底板２１との間には隙間が形成される。これにより、隙間から湯等が流れ落ちるので、収納面４９に湯等が溜まることを防ぐことができる。
【００４０】
第２の底板４１には、一主面である底面４２から反対側の他主面である収納面４９に貫通し、略直線状で長さＨ１方向に延在する貫通孔４４が形成される。貫通孔４４が形成されることにより、水はけが良くなり、収納面４９に湯等が溜まることを防ぐことができる。なお、貫通孔２４と同様に、貫通孔４４の形状及び個数はこれに限定されず、様々な形態を採用し得る。
【００４１】
第２の底板４１の底面４２は、第１の底面２２と同様に、浴室用椅子１の中央方向に向かって凹む略凹面状に形成される。これにより、床Ｇと底面４２との間に隙間が形成されるので、貫通孔４４に湯等が留まらず流れやすくなる。
【００４２】
第２の底板４１は、浴室用椅子１の下方（底）において、第１の座板１１と第１の底板２１とをつなぐので、第１の座板１１と第１の底板２１とが強固に固定される。これにより、浴室用椅子１は、第２の座面３２を上方に向けて載置される際に安定する。
【００４３】
また、浴室用椅子１は、略角筒状に形成されるため、浴室用椅子１を収納する際に、浴室の隅等に隙間少なく置くことができる。
また、浴室用椅子１の全体の角部分には、面取りが施されても良い。これにより、浴室用椅子１の肌触りを良くすることができる。
【００４４】
図２（Ａ）は、第１の座面１２が上方になるように載置した状態を示す浴室用椅子１の正面図であり、図２（Ｂ）は、第２の座面３２が上方になるように載置した状態を示す同正面図である。図２（Ａ）は、浴室用椅子１の高さを高くした場合の利用形態を示し、図２（Ｂ）は、浴室用椅子１の高さを低くした場合の利用形態を示す。
【００４５】
図２（Ａ）に示すように、浴室用椅子１は、第１の座面１２を上方に向けて載置されることにより、第１の座板１１を座部、第２の座板３１及び第２の底板４１を脚部として利用される。即ち、利用者は、浴室用椅子１を床Ｇから座面１２までの高さがＨ１の椅子、即ち高さが高い椅子として利用することができる。
【００４６】
また、第１の底板２１が第１の座板１１と略平行に配設されるので、図２（Ａ）において収納面２９が上方向を向き、底板２１を収納棚として利用することができる。そのため、浴室用椅子１の内側に収納物９０を収納することにより、浴室のスペースを有効的に利用することができる。
また、底面２２の両端部近傍の２か所、即ち角部５２近傍及び角部５３近傍が床Ｇと当接する。これにより、浴室用椅子１の安定性を高めることができる。
【００４７】
図２（Ｂ）に示すように、浴室用椅子１は、第２の座面３２を上方に向けて載置されることにより、第２の座板３１を座部、第１の座板１１及び第１の底板２１を脚部として利用される。即ち、利用者は、浴室用椅子１を床Ｇから座面３２までの高さがＨ２の椅子、即ち高さが低い椅子として利用することができる。
【００４８】
また、第２の底板４１が第２の座板３１と略平行に配設されるので、図２（Ｂ）において収納面４９が上方向を向き、底板４１を収納棚として利用することができる。そのため、浴室用椅子１の内側に収納物９０を収納することにより、浴室のスペースを有効的に利用することができる。
また、底面４２は、両端部近傍の２か所、即ち角部５１近傍及び角部５２近傍が床Ｇと当接するので、浴室用椅子１は安定する。
【００４９】
以上の説明のように、浴室用椅子１は、図２（Ａ）に示す如く、第１の座面１２に座る場合と、図２（Ｂ）に示す如く、第２の座面３２に座る場合と、の２通りの高さの椅子として利用することができる。
【００５０】
そして、浴室用椅子１は、図２（Ａ）の状態から左に９０°回転させることにより、図２（Ｂ）の状態にすることができる。そのため、浴室用椅子１の高さを容易に切り替えることができる。
【００５１】
なお、浴室用椅子１を構成する４枚の板材（１１、２１、３１、４１）の形状は、略矩形板状に限定されるものではなく、その他の形状に形成されても良い。例えば、浴室用椅子１の開口部の縁部となる板材（１１、２１、３１、４１）の辺部は、平面視若しくは側面視において、略曲線状、略折れ線状等に形成されても良い。即ち、多彩な意匠的表現が可能である。
【００５２】
また、第１の座板１１及び第１の底板２１の長さＨ２が同一であれば、第１の座板１１及び第１の底板２１は夫々異なる形状に形成されても良い。また、第２の座板３１及び第２の底板４１の長さＨ１が同一であれば、第２の座板３１及び第２の底板４１は夫々異なる形状に形成されても良い。
【００５３】
また、上記説明では、浴室用椅子１を構成する４枚の板材（１１、２１、３１、４１）は、幅Ｗ１方向に沿った辺部近傍において互いに接続されるとしたが、板材（１１、２１、３１、４１）は、主面部分に接続されても良い。即ち、角部５４を例として説明すれば、第１の座板１１の内周側の主面に第２の座板の辺部が接続され、第１の座板１１は当該接続部（角部５４に相当）よりも外側に延設されても良い。つまり、角部５４に相当する前記接続部は、略Ｔ状に形成されても良い（更には、略十字状であっても良い）。他の角部５１、５２、５３についても同様である。
【００５４】
本考案は、上記実施形態に限定されるものではなく、その他、本考案の要旨を逸脱しない範囲で、種々の変更実施が可能である。
【符号の説明】
【００５５】
１      浴室用椅子
１１、３１    座板
１２、３２    座面
２１、４１    底板
２４、４４    貫通孔
２５、４５    突起部
２９、４９    収納面
【図１】
0003199431.tif 000003
【図２】
0003199431.tif 000004